(57)【要約】【課題】  点眼が確実となるように目を開くことができ、片手で点眼動作ができ、衛生的で不特定多数の利用者に使い回しができる新規な目薬点眼用補助器具及び目薬容器を提供することにある。【解決手段】  目薬点眼用補助器具１０は、点眼する目の延長線上に目薬容器４０を保持するとともに、目薬を略水平方向に噴霧して目に点眼させる保持部２０と、その保持部２０の先端部分に点眼する目の上まぶたを眼球に沿って押し入れる押さえ片３０とを備える。また、この補助器具１０に用いられる目薬容器４０は、ガスボンベタイプのものであり、目薬容器４０の噴霧口４２から目薬を噴霧する噴霧機能をも備える。【選択図】  図１
2008061806.tif 000002
【特許請求の範囲】
【請求項１】
目薬の点眼（投薬）を補助するための目薬点眼用補助器具であって、
点眼する目の延長線上に目薬容器を保持する保持部と、
点眼する目の上まぶたを眼球に沿って押し入れる押さえ片とを備えた目薬点眼用補助器具。
【請求項２】
目薬を垂下させて目に点眼させる保持部を備えた請求項１記載の目薬点眼用補助器具。
【請求項３】
目薬を略水平方向に噴霧して目に点眼させる保持部及び噴霧機能を備えた請求項１記載の目薬点眼用補助器具。
【請求項４】
押さえ片に抗菌性材質を用いた請求項１から３のいずれかに記載の目薬点眼用補助器具。
【請求項５】
押さえ片にＲ形状のものを用いた請求項１から４のいずれかに記載の目薬点眼用補助器具。
【請求項６】
保持部と押さえ片とが折り畳み可能な請求項１から５のいずれかに記載の目薬点眼用補助器具。
【請求項７】
請求項１から６のいずれかに記載の目薬点眼用補助器具を備えた目薬容器。
【発明の詳細な説明】
【技術分野】
【０００１】
本発明は、目薬の点眼（投薬）を補助するための目薬点眼用補助器具に関するものである。
【背景技術】
【０００２】
従来より、目薬の点眼（投薬）を補助するための目薬点眼用補助器具には、種々のものが開発・考案されている。例えば、以下に示す特許文献１〜特許文献９がある。
【特許文献１】特開２００２−０８５５１９号公報
【特許文献２】特開２０００−２２５２００号公報
【特許文献３】特開２０００−１８９４９１号公報
【特許文献４】特開平０８  −０７１１２５号公報
【特許文献５】実開平０２  −０３５７３９号公報
【特許文献６】実開昭６２  −０７２６５３号公報
【特許文献７】実用新案登録第３０５４１６３号公報
【特許文献８】実用新案登録第３０３２０５５号公報
【特許文献９】実用新案登録第３００３００４号公報
【発明の開示】
【発明が解決しようとする課題】
【０００３】
しかしながら、上記した特許文献などには、総じて以下のような欠点があった。
（１）目薬の点眼を確実にするために、上下まぶたを上下方向へ開こうとするが、実際に無理なく目を開けられるものではない等、実用化されていないものが多数ある。
（２）目薬点眼用補助器具の一部が目やまぶたの裏側に触れるものもあり、そのため、不特定多数の利用者に使い回しができない。
【０００４】
そこで、本発明者は、上記した欠点のない目薬点眼用補助器具を提供することを目的として、本発明を完成させた。
【課題を解決するための手段】
【０００５】
本発明の第１の発明は、目薬の点眼（投薬）を補助するための目薬点眼用補助器具であって、点眼する目の延長線上に目薬容器を保持する保持部と、点眼する目の上まぶたを眼球に沿って押し入れる押さえ片とを備えたことを特徴とするものである。
第２の発明は、目薬を垂下させて目に点眼させる保持部を備えたことを特徴とするものである。
第３の発明は、目薬を略水平方向に噴霧して目に点眼させる保持部及び噴霧機能を備えたことを特徴とするものである。
第４の発明は、押さえ片に抗菌性材質を用いたことを特徴とするものである。ここで、「抗菌性材質」とは、例えば、フッ素系樹脂，酸化チタン，銀イオンなどである。但し、これらに限定されるものではない。
第５の発明は、押さえ片にＲ形状のものを用いたことを特徴とするものである。
第６の発明は、保持部と押さえ片とが折り畳み可能なことを特徴とするものである。
第７の発明は、上記した目薬点眼用補助器具を備えた目薬容器であることを特徴とするものである。
【発明の効果】
【０００６】
本発明によれば、以下のような効果を有する。
（１）点眼する目の上まぶたを眼球に沿って押し入れる押さえ片とを備えたことで、点眼が確実となるように目を開くことができる。
（２）片手で点眼動作ができる。
（３）目薬点眼用補助器具が目やまぶたの裏側に全く触れないため衛生的であり、そのため、不特定多数の利用者に使い回しができる。押さえ片に抗菌性材質を用いれば、さらに衛生的である。
【発明を実施するための最良の形態】
【０００７】
本発明の実施形態を図面に基づいて説明する。
図１は、本発明に係る第１の実施形態を示す正面図であり、図２は、同側面図である。
図示するように、目薬点眼用補助器具（以下、「補助器具」）１０は、点眼する目の延長線上に目薬容器４０を保持するとともに、目薬を略水平方向に噴霧して目に点眼させる保持部２０と、その保持部２０の先端部分に点眼する目の上まぶたを眼球に沿って押し入れる押さえ片３０とを備える。なお、この押さえ片３０はＲ形状であること、抗菌作用のあるフッ素樹脂や銀などを用いたものが好ましい。また、この補助器具１０に用いられる目薬容器４０は、ガスボンベタイプのものであり、目薬容器４０の噴霧口４２から目薬を噴霧する噴霧機能をも備えることになる。
【０００８】
このような補助器具１０を有することで、上記［発明の効果］に記載された（１）〜（３）の効果だけでなく、目薬が水平方向に噴霧可能になるので直立状態での目薬の点眼が可能になる。なお、目薬容器４０が高圧ガスを用いて目薬を噴霧するものではなく、霧吹きのように容器内の空気を圧縮させて目薬を噴霧するものであってもよい。また、噴霧機能は、これらに限定されるものでもない。
【０００９】
図３は、本発明に係る第２の実施形態を示す斜視図である。
図示するように、補助器具１１は、略Ｌ字形をしており、点眼する目の延長線上に目薬容器４１を保持するとともに、目薬を垂下させて目に点眼させる保持部２１と、その保持部２１の先端部分に点眼する目の上まぶたを眼球に沿って押し入れる押さえ片３１とを備える。保持部２１は、既存の目薬容器４１へ直接取り付けることができるように、ＪＩＳ規格のネジ溝２２を備えていることが好ましい。
【００１０】
このような補助器具１１を有することで、上記［発明の効果］に記載された（１）〜（３）の効果だけでなく、既存の目薬容器４１へ取り付け可能な補助器具１１を提供できるので、補助器具１１の使用可能範囲が極めて広くなる。また、保持部２１または／および押さえ片３１を折り畳み可能な構造とすることで、コンパクトな携帯性に優れたものにできる。
【産業上の利用可能性】
【００１１】
本発明は、目薬の点眼（投薬）を補助するための補助器具或いは利便性・安全性の高い目薬容器として、幅広く利用できるものである。
【図面の簡単な説明】
【００１２】
【図１】本発明に係る第１の実施形態を示す正面図。
【図２】本発明に係る第１の実施形態を示す側面図。
【図３】本発明に係る第２の実施形態を示す斜視図。
【符号の説明】
【００１３】
１０，１１  目薬点眼用補助器具（補助器具）
２０，２１  保持部      ２２  ネジ溝
３０，３１  押さえ片
４０，４１  目薬容器    ４２  噴霧口
【図１】
2008061806.tif 000003
【図２】
2008061806.tif 000004
【図３】
2008061806.tif 000005